(57)【特許請求の範囲】
【請求項１】
核燃料集合体の貯蔵用及び／又は運搬用の貯蔵装置（１）であって、複数の隣接したハウジング（２）を有し、該ハウジング（２）の各々は、側壁を有すると共に前記核燃料集合体を受け入れることができ、該側壁は、積み重ねられると共に交差したスロット付き構造アセンブリ（６ａ、６ｂ）を使用した少なくとも一部分からなり、該各構造アセンブリ（６ａ、６ｂ）は、アルミニウムを含む第１の材料からなる少なくとも１枚の板（２２）を有し、前記各構造アセンブリ（６ａ、６ｂ）は、管状断面要素（２０）をさらに有し、該管状断面要素（２０）の内部に前記少なくとも１枚の板（２２）が位置し、前記管状断面要素（２０）は、鋼とチタンとその合金とから選択される第２の材料からなる、貯蔵装置（１）において、
前記構造アセンブリ（６ａ、６ｂ）の少なくとも１つは、上側スロット（４０）が設けられた上側部分と共に下側スロット（４２）が設けられた下側部分を有し、前記上側スロット（４０）及び前記下側スロット（４２）の各々は、前記管状断面要素（２０）内に形成されたノッチ（５０、４６）と、前記構造アセンブリ（６ａ、６ｂ）の前記各板（２２）内に形成されたノッチ（６０、４８）とを使用して構成されることを特徴とする貯蔵装置。
【請求項２】
前記上側スロット（４０）及び前記下側スロット（４２）は、ほぼ同一の高さを示すことを特徴とする、請求項１に記載の貯蔵装置。
【請求項３】
前記第１の材料及び前記第２の材料の少なくとも一方は、ニュートロファージ元素を含むことを特徴とする、請求項１または２に記載の貯蔵装置。
【請求項４】
前記各板を構成する前記第１の材料は、アルミニウム及びニュートロファージ元素を含むことを特徴とする、請求項３に記載の貯蔵装置。
【請求項５】
前記ニュートロファージ元素は、ホウ素と、ガドリニウムと、ハフニウムと、カドミウムと、インジウムと、サマリウムと、ユーロピウムとから成る群から選択されることを特徴とする、請求項３又は４に記載の貯蔵装置。
【請求項６】
前記各ハウジング（２）は、その境界を定める側面（１７４）を有し、該側面は、前記ハウジングの前記側壁を形成する前記構造アセンブリ（６ａ、６ｂ）の前記管状断面要素（２０）によって少なくとも部分的に構成されることを特徴とする、請求項１〜５のいずれか一項に記載の貯蔵装置。
【請求項７】
前記各構造アセンブリ（６ａ、６ｂ）において、前記管状断面要素（２０）は、横側面部（２４）によって相互連結される上縁部（３０）及び下縁部（３２）間を延び、前記少なくとも１枚の板（２２）は、前記上縁部（３０）及び前記下縁部（３２）間を摺動することを特徴とする、請求項１〜６のいずれか一項に記載の貯蔵装置。
【請求項８】
前記少なくとも１枚の板（２２）は、互いに離隔した２枚の板で構成されることを特徴とする、請求項７に記載の貯蔵装置。
【請求項９】
前記離隔した２枚の板はそれぞれ、鋼製の前記管状断面要素（２０）の２つの前記横側面部（２４）の内部側面（２８）に面することを特徴とする、請求項８に記載の貯蔵装置。
【請求項１０】
前記上側スロット（４０）は、前記下側スロット（４２）より低い高さを有することを特徴とする、請求項１に記載の貯蔵装置。
【請求項１１】
前記下側スロット（４２）の各々は、前記管状断面要素（２０）内に形成されたノッチ（４６）及び前記構造アセンブリの前記各板（２２）内に形成されたノッチ（４８）を使用して構成され、
前記上側スロット（４０）の各々は、前記管状断面要素（２０）内に形成されたノッチ（５０）だけを使用して構成されることを特徴とする、請求項１０に記載の貯蔵装置。
【請求項１２】
前記各構造アセンブリ（６ａ、６ｂ）の前記管状断面要素（２０）は、ほぼ矩形又は正方形の断面を有することを特徴とする、請求項１〜１１のいずれか一項に記載の貯蔵装置。
【請求項１３】
前記構造アセンブリ（６ａ、６ｂ）の積み重ね体の周囲に配置される複数の周囲壁（１４）をさらに有することを特徴とする、請求項１〜１２のいずれか一項に記載の貯蔵装置。
【請求項１４】
前記各構造アセンブリ（６ａ、６ｂ）は、２つの対向する端部を有し、該対向する端部の各々は、同じ向きに積み重ねた隣り合う構造アセンブリ間に隙間（８６）が存在するように、前記複数の周囲壁（１４）の１つに取り付けられることを特徴とする、請求項１３に記載の貯蔵装置。
【請求項１５】
前記少なくとも１枚の板（２２）は、単一の板で構成されることを特徴とする、請求項７に記載の貯蔵装置。
【請求項１６】
前記単一の板も、鋼製の前記管状断面要素（２０）の２つの前記横側面部（２４）間を摺動することを特徴とする、請求項１５に記載の貯蔵装置。
【請求項１７】
核燃料集合体の貯蔵用及び／又は運搬用の容器（７０）であって、
請求項１〜１６のいずれか一項に記載の前記貯蔵装置（１）を内部に収容したケーシング（７２）を含むことを特徴とする容器。
【請求項１８】
前記ケーシング（７２）は、
ベース（７４）と、
蓋（７６）と、
前記貯蔵装置の長手方向軸と合体するケーシングの長手方向軸（７３）の周囲に延びる側面胴部（８０）と
を有し、
前記貯蔵装置は、前記蓋（７６）から離れた位置で、該蓋（７６）に向かう方向の前記ケーシングの前記長手方向軸（７３）に沿った移動がロックされることを特徴とする、請求項１７に記載の容器。
【請求項１９】
前記移動のロックは、前記側面胴部（８０）に取り付けられると共に構造アセンブリ（６ａ、６ｂ）の積み重ね体の周囲に配置される周囲壁（１４）と協働するストップ手段（８２）を用いて実行されることを特徴とする、請求項１８に記載の容器。
【発明の詳細な説明】
【技術分野】
【０００１】
本発明は、包括的には、核燃料集合体の貯蔵用及び／又は運搬用の貯蔵装置に関する。排他的ではないが、本発明は、特に、照射済み核燃料集合体の貯蔵用及び／又は運搬用の貯蔵装置に関する。このタイプの装置は、通常は高温にさらされ、温度が最高である場合、全体的に満足できる機械抵抗を確保するために、鋼部品を必要とし得る。
【０００２】
本発明はさらに、核燃料集合体の貯蔵用及び／又は運搬用のそのような貯蔵装置を内部に配置したケーシングを含む容器に関する。
【背景技術】
【０００３】
従来より、貯蔵「バスケット」又は「プレートラック」とも呼ばれるそのような装置は、ほぼ円形断面の円筒形であって、それぞれ核燃料集合体を受け入れることのできる複数の隣接したハウジングを有する。
【０００４】
このタイプの装置は、以下に簡単に明らかにする４つの本質的な機能を同時に満たすことができるように設計される。
【０００５】
それは実際、第１に照射済み燃料集合体によって放出された熱を排除する必要がある。これには、高い熱伝導性を有する材料の使用が必要であり、アルミニウム又はその合金が一般的に使用される。したがって、この第１の機能は熱機能と呼ばれる。
【０００６】
第２の機能は、貯蔵装置に核燃料集合体を装填した時、貯蔵装置の準臨界（sub-criticality）を維持する、すなわち、いずれの核分裂反応の暴走も回避するために、核燃料集合体間の中性子相互作用を十分に制限することにある。これは、ホウ素のような、ニュートロファージ元素と呼ばれる中性子吸収化学元素を貯蔵する貯蔵装置の構造に組み込むことによって、実質的に構成される。そのようにニュートロファージ元素を添加した物質は、中性子物質と呼ばれる。準臨界の維持には、たとえば貯蔵装置のハウジングを形成する仕切りの内部に水を満たすのに適した空間を設けることが必要であり得る。
【０００７】
さらに、貯蔵装置に核燃料集合体を装填する時、貯蔵装置の準臨界の維持は、この貯蔵装置が十分な機械抵抗を確実に有することも必要とし、したがって、この機械的機能は第３の機能を構成する。実際に、その幾何学的形状の過剰変化は、核燃料集合体間の中性子相互作用に、すなわち、準臨界に許容できないような影響を与え得る。
【０００８】
貯蔵装置の機械抵抗は、核物質の運搬／貯蔵に対する、特に非変形標的上への自由落下についての試験に関する法的安全要件に適合しなければならない。これらの落下試験は、ケーシングの、したがって貯蔵装置の長手方向軸を、衝突面に対してほぼ垂直（これは一般的に軸方向落下又は垂直落下と呼ばれる）、又は衝突面にほぼ平行（これは一般的に側方落下又は水平落下と呼ばれる）のいずれかになるように向けることによって行われる。これらの試験の後、貯蔵装置のいずれの変形も、臨界に許容できないほど悪影響を与えてはならず、これは、機械抵抗が可能な限り強い貯蔵装置を有することを必要とする。このため、特に貯蔵装置が達する温度が高い時、高温では機械抵抗が不十分であることが多いアルミニウム元素に加えて鋼から形成される構造アセンブリを使用する必要があり得る。
【０００９】
最後になるが、貯蔵装置を入れたケーシングを有するすべての構造体と同様に、貯蔵装置自体が、中性子及びガンマ線に関する放射線防護に関与し、この放射線防護機能が第４の機能を構成する。さらに、アルミニウム及びその合金の低密度の物質が、主に中性子の遮蔽に関与する場合、鋼のような高密度の物質は、主にガンマ線の遮蔽に関与することが確認されている。
【００１０】
そのような貯蔵装置の設計中、経済的制約も考慮に入れることにも注意しなければならない。実際に、このタイプの制約は、核燃料を装填した時、最大重量が動作的制約によって制限される容器の積載量の増加を意図している。したがって、その目的は、一方でケーシングを、また他方で貯蔵装置も可能な限り軽量化することのできる技術的解決策を提供することにある。
【００１１】
従来技術において、貯蔵装置の隣接したハウジングを得る目的で、スロット付き構造アセンブリを積み重ねると共に交差させることから成る幾つかの構成が既知である。たとえば、特許文献１は、ホウ素を含むアルミニウム合金のような高い熱伝導性を有する中性子物質からなる２枚の離隔する板と共に、板の間に配置されて当該板と接触している矩形断面のバーの形を一般的にとる中間鋼構造体（intermediary steel structure）をそれぞれが有する２つのスロット付き構造アセンブリを開示している。さらに、積み重ねると共に交差された構造アセンブリの場合に一般的であるように、これらの構造アセンブリの積み重ね方向は、貯蔵装置の長手方向軸に平行であり、したがって、各中間鋼構造体を貯蔵装置のこの同じ長手方向軸とほぼ直交させて配置することを意味する。
【００１２】
【特許文献１】フランス特許第２，８７２，９５５号明細書
【発明の開示】
【発明が解決しようとする課題】
【００１３】
これに関して、中間鋼構造体に対して維持される矩形断面の全体形状は、関連する貯蔵装置について、主に垂直自由落下試験及び側方自由落下試験に関して最大の機械的強度を得るのに最適な解決策ではないことが確認されている。これは特に、これらの中間鋼構造体は、或る線密度に対して比較的低い曲げ慣性係数（modulus of inertia in bending）を有し、それには、垂直自由落下と共に側方自由落下において中間鋼構造体に大きな制約及び変形を生じる性質が有ることによって説明することができ、特に並進を維持する必要がある時、貯蔵装置は、それがケーシングの蓋に衝突しないようになっている。
【００１４】
さらに、中間鋼構造体の積み重ねによって生じる長手方向の不連続性は、追加された鋼の重量に関して最適化されたガンマ線防護を処理することができない。
【００１５】
したがって、本発明の目的は、従来技術の構成に関係する上記欠点をなくした核燃料集合体の貯蔵用及び／又は運搬用の貯蔵装置及び容器を提供することである。
【課題を解決するための手段】
【００１６】
そのために、本発明の目的は、核燃料集合体の貯蔵用及び／又は運搬用の貯蔵装置であって、該貯蔵装置は、複数の隣接したハウジングを有し、該ハウジングの各々は、側壁を有すると共に前記核燃料集合体を受け入れることができ、該側壁は、積み重ねられると共に交差したスロット付き構造アセンブリを使用した少なくとも一部分からなり、該各構造アセンブリは、アルミニウム合金のようなアルミニウムを含む第１の材料からなる少なくとも１枚の板を有し、各構造アセンブリは、管状断面要素をさらに有し、該管状断面要素の内部に前記少なくとも１枚の板が見られ、前記管状断面要素は、鋼とチタンとその合金とから選択される第２の材料からなる貯蔵装置を提供することである。本発明によれば、構造アセンブリの少なくとも１つは、上側スロットが設けられた上側部分と共に下側スロットが設けられた下側部分を有し、上側スロット及び下側スロットの各々は、管状断面要素内に形成されたノッチと、構造アセンブリの各板内に形成されたノッチとを使用して構成される。
【００１７】
好都合にも、本貯蔵装置の機械的強度機能は、管状断面要素によって実質的に与えられ、管状断面要素は、当該管状断面要素を構成する第２の材料の性質により、且つ当該管状断面要素の特有の形状により、それぞれ非常に満足できる機械的剛性を与えることができ、したがって、関連する容器が、動作的制約（operating constraints）によって課せられる重量制限に依然として適合しながら、主に垂直自由落下試験及び側方自由落下試験に関する法的安全要件に容易に適合できるようにする。これは特に、鋼、チタン又はその合金の１つから形成されるこれらの管状断面要素が、或る線密度に対して高い曲げ慣性係数を有して、垂直自由落下と共に側方自由落下において当該管状断面要素の制約及び変形を大幅に制限するということによって説明され得る。実際に、或る線密度に対して、たとえば鋼製の構造部品の曲げ強度は、それを構成する材料を曲げ部品の中立軸、すなわち曲げ部品の２つの対称軸からできる限り離しておく場合、上記２つの落下の際に最適であることが明らかになっている。したがって、本発明で維持される管状断面要素の形状は、機械抵抗の本質的な部分を与える鋼構造体用の最適な形状を構成する。もちろん、この見解は、選択される第２の材料がチタン又はその合金の１つである場合にも適用されるが、鋼、さらに好ましくはステンレス鋼の使用がやはり好ましい。そのような構造は、上記自由落下の実施中にスロット付き構造アセンブリに高い屈曲応力を生じるという意味で、貯蔵装置の並進が、この同じ貯蔵装置を収容しているケーシングの蓋から離れた位置で停止されるようにした本発明の特権的用途に対して、この最適化が特に好都合であることが確認される。
【００１８】
さらに、本発明による貯蔵装置の機械的強度は、特に特許文献１の貯蔵装置内に見られたように、各管状断面要素が、特に、それが画定する構造アセンブリのハウジングの側壁の全厚を横切ると共にこの厚さの内側部分だけを全く横切ることなく延びることによっても最適化される。この特殊性は特に、第１の材料からなる各板が、その対応する鋼製の管状断面要素の内側に配置されるという特徴から生じる。
【００１９】
さらに、各スロット付き構造アセンブリの外側部分が、鋼製の管状断面要素によって構成されることから生じる別の利点が、これらを積み重ねると共に交差させた管状断面要素を使用して、貯蔵装置の全長にわたってほぼ連続的に延びる鋼構造体を形成できることにあることが明らかにされている。これらの管状断面要素が貯蔵装置の機械的強度をさらに強化することができること以外に、上記鋼構造体の連続性は、特に、ガンマ線に関して非常に満足できる遮蔽を行うことができる。
【００２０】
さらに、提案される貯蔵装置は、単純な形状の安価な部品の使用に基づいてさほど複雑でなく、且つ互いに容易に組み立てることのできる構造を有する。したがって、貯蔵装置の合計コストは、従来技術で見られるものと比べて低減することができる。そのため、積み重ねると共に交差された管状断面要素間の機械的結合が、この目的のためにこれらの同じ管状断面要素に設けられるスロットを使用して構成されるので、従来技術を実施する場合のように、鋼若しくはチタン製の部品の交差部分でそれらの間に位置決めピンを設けること、及び／又は鋼若しくはチタン製の部品とニュートロファージ元素との間にねじを設けることが、好都合にも、もはや必要なくなることが明らかである。このことから生じる取り付け機能以外にも、位置決めピン及び／又はねじを使用しないことは、交差部分に対して抵抗する断面を減少させない限り、貯蔵装置の全体的な機械的強度を好都合に強化する。
【００２１】
さらに、本発明による貯蔵装置は、上記の４つのすべての本質的な機能を容易に満たすことができる構造であって、機械的強度の要件は、もちろん主に鋼製の管状断面要素によって与えられる構造を有することが確認されている。
【００２２】
実際に、貯蔵装置の各構造アセンブリの板が、アルミニウムと、たとえばアルミニウム及びホウ素の合金のようなニューロファージ元素とを含む第１の材料からなる特殊な場合、熱の伝達は実質的にアルミニウムの存在によって行われる。この場合、貯蔵装置に核燃料集合体を装填した時、貯蔵装置の準臨界の維持が、特に板内に設けられたホウ素の使用によって保証される。
【００２３】
これに関して、後述するように、同一の構造アセンブリに設けられる２枚の板の空間により、やはり貯蔵装置の準臨界を維持する目的で、水を満たすのに適した空間を画定することができることが確認されている。最後になるが、上述したように、ガンマ線に関する遮蔽は、貯蔵装置の全長にわたってほぼ連続的に延びる鋼製の構造体によって、非常に満足できるように行われ、中性子遮蔽は実質的に、第１の材料内にアルミニウムが存在することによって行われる。
【００２４】
ニュートロファージ元素が実際に特に板を構成する第１の材料内に設けられる場合、代替的にそれらを管状断面要素を構成する第２の材料内に設けるか、又は同時に第１の材料及び第２の材料内に設けることさえ可能であろう。この場合に限らず、これらのニュートロファージ元素は、ホウ素、ガドリニウム、ハフニウム、カドミウム、インジウム、サマリウム、ユーロピウムから成る群から選択され、本発明の範囲から逸脱することなく、その混合物ももちろん可能である。
【００２５】
さらに、上述したように、各ハウジングは、それを画定する側面を有し、この側面は、ハウジングの側壁を形成するスロット付き構造アセンブリの鋼製の管状断面要素によって少なくとも部分的に構成される。
【００２６】
さらに好ましくは、各構造アセンブリにおいて、管状断面要素は、２つの横側面部によって相互連結された上縁部及び下縁部間を延び、上記少なくとも１枚の板は、上縁部及び下縁部間を摺動する。言い換えると、中性子物質の各板の２つの縁部は、それぞれ上端部及び下端部に面するようになっており、摺動によって一方を他方の内部に取り付けることができるようにするために、且つ一方を他方の内部に摺動させるこれらの２つの部品用に使用する材料の個々の特性のために見られる伸長差に対処できるようにするために、作業隙間が設けられている。
【００２７】
この特殊性は、中性子物質の板が協働して、貯蔵装置の全長にわたってやはりほぼ連続的に延びる、高い熱伝導性を有する中性子物質の構造体を形成するように、中性子物質の板の高さが、その対応する管状断面要素の内側の高さにほぼ等しいことを意味する。この理由のため、準臨界を維持しながら、やはりハウジングの側壁に沿って得られる準連続性のため、熱の伝達及び中性子の遮蔽がこれらの板によって良好な状態で行われる。
【００２８】
本発明の好適な実施形態によれば、上記少なくとも１枚の板は、単一の板で構成される。そのため、それは、単一の板も鋼製の管状断面要素の２つの横側面部間を摺動するように配置されることがより好ましい。言い換えると、中性子物質の板の２つの側面は、それぞれ管状断面要素の横側面部の内側から対向する／横切ることが意図され、取り付けを可能にすると共に伸長差に対処するために、作業隙間も設けられている。中性子物質の単一の板が、それに対応する管状断面要素によって画定される内部空間のほぼすべてを占めるようにするこの好適な実施形態は特に、準臨界を維持するためにハウジングの側壁にシート状の水を常に備えるわけではないＢＷＲ（沸騰水型軽水炉）タイプの核燃料集合体用の貯蔵装置の構成用である。
【００２９】
本発明の別の好適な実施形態によれば、上記少なくとも１枚の板は、互いに離隔した２枚の板によって構成される。これに関して、各構造アセンブリの板の間の空隙により、貯蔵装置に核燃料集合体を装填した時、やはり貯蔵装置の準臨界を維持する目的で、水を満たすのに適した空間を画定できることが確認されている。したがって、この別の実施の形態は特に、ＰＷＲ（加圧水型軽水炉）タイプの核燃料集合体用の貯蔵装置の構成用である。
【００３０】
好ましくは、２枚の離隔した板はそれぞれ、鋼製の管状断面要素の２つの横側面部の内側に面し、これらの板はそれぞれ２つの横側面部の内側と面接触状態にあることができるが、それでも、管状断面要素内での各プレートの摺動による取り付けを可能にすると共に伸長差に対処するために、作業隙間が設けられる。
【００３１】
好適な実施形態では、それは、中性子物質の２枚の板が互いに完全に独立的であるように、又は全体的にＨ字形状又は管形状の断面の構造体内に組み込まれて、２枚の板がそれぞれこのＨ字形状又は管形状の２つの横側面部を構成するようにして配置することができる。この後者の場合、全体的にＨ字形状又は管形状の断面の構造体は、一体形成することができるか、又は互いに固定的に組み付けられる部品を使用して得ることができる。
【００３２】
さらに好ましいと共に上記２つの好適な実施形態の各々について、少なくとも１つの構造アセンブリ、さらに好ましくは構造アセンブリの各々は、上側スロットが設けられた上側部分と共に下側スロットが設けられた下側部分を有し、上側スロット及び下側スロットはほぼ同一の高さを有する。限定的ではないが、上側部分及び下側部分はもちろん、構造アセンブリの積み重ね方向に従って考慮されることが確認されている。したがって、上側部分は、貯蔵装置のヘッドプレートの方に向いた管状断面要素の縁部に位置し、下側部分は、反対側の縁部、すなわち、貯蔵装置のベースの方に向いた縁部の高さに位置する。別の見方では、これは、上側部分が貯蔵装置に対応するケーシングの蓋の方に向いた管状断面要素の縁部の高さに位置し、下側部分が反対側の縁部、すなわち、ケーシングのベースの方に向いた縁部の高さに位置するということに戻る。
【００３３】
より好ましくは、貯蔵装置の長手方向軸に沿って準連続的なハウジングの側壁を得るために、上側スロット及び下側スロットの高さの合計は、構造アセンブリの高さの半分にほぼ等しい。
【００３４】
しかしながら、本発明の範囲から逸脱することなく、代替的に、上側スロットだけ又は下側スロットだけを有する構造アセンブリを設けられることが確認されている。
【００３５】
構造アセンブリが同一の高さの上側スロット及び下側スロットを有する好ましい場合では、上側スロット及び下側スロットの各々が、鋼製の管状断面要素内に形成されたノッチ及び構造アセンブリの各板内に形成されたノッチからなるように、当該構造アセンブリが構成される。
【００３６】
代替的には、少なくとも１つの構造アセンブリ、より好ましくは構造アセンブリの各々は、上側スロットが設けられた上側部分と共に下側スロットが設けられた下側部分を有し、上側スロットは、下側スロットより低い高さを有する。
【００３７】
この他の場合では、貯蔵装置は通常、上側スロット及び下側スロットの各々が鋼製の管状断面要素内に形成されたノッチ及び構造アセンブリの各板内に形成されたノッチからなるように、又は下側スロットの各々が常に鋼製の管状断面要素内に形成されたノッチ及び構造アセンブリの各板内に形成されたノッチからなると共に上側スロットが鋼製の管状断面要素内に形成されたノッチだけからなるように、構造アセンブリを構成することができる。
【００３８】
特に、この後者の構造は、特に貯蔵装置がケーシングの側面胴部に対してその長手方向軸に従った並進が蓋から離れた位置でロックされるように設けられる時、蓋のような閉鎖システムを備える上側部分が衝突面に衝突することを目的とする容器の垂直自由落下の場合に、貯蔵装置の機械的剛性を強化するために設けられる。
【００３９】
実際上、そのような垂直自由落下に続く衝突中、端部で並進が停止した鋼製の管状断面要素は曲げを受けて、緩やかな曲線（sweep）が閉鎖システムの方向に、すなわち、その時に底部の方に向いている容器の上側部分に向けて定められる。この曲げにより、管の下側スロットが閉じて、上側スロットが開く。管が交差部分に合わせて高度に調整されているとすると、再閉鎖スロットが交差管と接触するように満たす必要のある隙間が大幅に減少する。したがって、曲げが生じた時、再閉鎖中の下側スロットは、このスロット内に収容されている交差管と迅速に接触し、それにより、交差区域内で剛性を相当に増加させ、またこれにより、制約及び変形を減少させる。
【００４０】
貯蔵装置が並進を持続しないようにした時、特に閉鎖システムの機械的強度が、この閉鎖システムの側面衝突を伴う落下中に貯蔵装置の重量を保持するのに十分である時が考慮され得る場合、貯蔵装置は蓋にその断面全体にわたって衝突することに注意されたい。この場合、貯蔵装置の構造アセンブリは、受ける曲げが非常にわずかであるか、又はまったくなく、そのため、異なった高さのスロットを設ける必要がなくなる。
【００４１】
より好ましくは、各構造アセンブリの鋼製の管状断面要素は、ほぼ矩形又は正方形の断面を有する。
【００４２】
さらに好ましくは、貯蔵装置は、構造アセンブリの積み重ね体の周囲に配置された複数の周囲壁をさらに有する。これに関して、さらに好ましくは、貯蔵装置は、各構造アセンブリが２つの対向する端部を有し、その各々が同じ向きに積み重ねた隣り合う構造アセンブリ間に隙間が存在するように、複数の周囲壁の１つに取り付けられるように構成される。
【００４３】
そのため、この特別な構造により、構造アセンブリの各々の保持を切り離すことができ、したがって、構造アセンブリは、互いに独立的に周囲壁上に保持される。一般的に、そのような構造では、軸方向落下の観点での貯蔵装置全体の機械的強度の証明（justification）は、特に、貯蔵装置の移動がケーシングの蓋から離れた位置で停止される時、この貯蔵装置の構造アセンブリの任意の１つの機械的強度の簡単な証明によって有利に行われ得る。
【００４４】
本発明の目的はまた、核燃料集合体の貯蔵用及び／又は運搬用の容器であって、上述したような貯蔵装置を内部に収容するケーシングを含む容器である。
【００４５】
より好ましくは、ケーシングは、ベースと、蓋と、貯蔵装置の長手方向軸と合体するケーシングの長手方向軸の周囲に延びる側面胴部とを有し、貯蔵装置は、蓋から離れた位置で、蓋に向かう方向のケーシングの長手方向軸に沿った移動がロックされる。
【００４６】
これにより、ケーシングの蓋に設けられるケーシングのシールの破壊を生じやすい垂直自由落下中に、貯蔵装置がケーシングの蓋と衝突することを回避することができる。
【００４７】
最後になるが、貯蔵装置の移動のロックは、ケーシングの側面胴部に取り付けられると共に構造アセンブリの積み重ね体の周囲に配置された貯蔵装置の周囲壁と協働するストップ手段を用いて実行することができる。より好ましくは、ストップ手段が構造アセンブリではなく周囲壁だけと協働するような場合、鋼製の管状断面要素の管形状は、垂直自由落下の枠組み内で満たしている機械抵抗を獲得するのに完全に適することが確認されている。
【００４８】
しかしながら、本発明の範囲から逸脱することなく、蓋から離れた位置でケーシング内に固定的に挿入される「ヘッドプレート」と呼ばれる板であって、貯蔵装置の上側部分の構造アセンブリが支持体として上に載る板の形をしたストップ手段を設けることも可能であろう。
【００４９】
本発明の他の利点及び特徴は、限定的ではない以下の詳細な説明から明らかになるであろう。
【００５０】
次に、添付の図面に関連させてこの説明を行う。
【図面の簡単な説明】
【００５１】
【図１】本発明の原理を簡単に示す、核燃料集合体の貯蔵用及び／又は運搬用の貯蔵装置の斜視図である。
【図２】本貯蔵装置のスロット付き構造アセンブリの積み重ね方向に対して垂直である図１の平面Ｐに沿った断面図である。
【図３ａ】本発明の第１の好適な実施形態による核燃料集合体の貯蔵用及び／又は運搬用の貯蔵装置に使用されるスロット付き構造アセンブリの斜視図である。
【図３ｂ】図３ａの分解図である。
【図３ｃ】図３ａ及び図３ｂに示すスロット付き構造アセンブリの、当該構造アセンブリの現断面を通る切断面での横断面図である。
【図４】図３ａ〜図３ｃに示されたもの等の、積み重ねられると共に交差した複数のスロット付き構造アセンブリを示す、第１の好適な実施形態による貯蔵装置の部分斜視図である。
【図５ａ】本発明の第１の好適な実施形態の代替例による核燃料集合体の貯蔵用及び／又は運搬用の貯蔵装置に使用されるスロット付き構造アセンブリの斜視図である。
【図５ｂ】図５ａの分解図である。
【図６ａ】積み重ねられると共に交差した２つのスロット付き構造アセンブリを示す、第２の好適な実施形態による貯蔵装置の部分斜視図である。
【図６ｂ】図６ａに示す２つのスロット付き構造アセンブリのうちの１つの横断面図である。
【図７】図１に示すような核燃料集合体の貯蔵用及び／又は運搬用の貯蔵装置を組み込んだ容器の概略図である。
【図８ａ】本貯蔵装置の周囲壁へのスロット付き構造アセンブリの取り付けを示す断面図である。
【図８ｂ】本貯蔵装置の周囲壁へのスロット付き構造アセンブリの取り付けを示す断面図である。
【発明を実施するための形態】
【００５２】
図１を参照すると、より好ましくは照射済みの（図示しない）核燃料集合体の運搬及び／又は貯蔵を目的とした（本図には示さない）ケーシング内に入れるように設けられた貯蔵装置１が示されている。
【００５３】
図１からわかるように、貯蔵装置１は、平行に配置された複数の隣接したハウジング２を有し、これらはそれぞれ、長手方向軸４に沿って延びている。ハウジング２はそれぞれ、断面が正方形である少なくとも１つの核燃料集合体、より好ましくは単一の核燃料集合体を受け入れることができる。
【００５４】
したがって、ハウジング２は、１つがその他のものに対して並置するように設けられている。それらは、複数のスロット付き構造アセンブリ６ａ、６ｂによって構成され、これらの構造アセンブリ６ａ、６ｂは、図１に矢印８で概略的に示されるように、ハウジング２の長手方向軸４に平行である積み重ね方向に従って積み重ねられている。より正確に言うと、積み重ね方向８は、貯蔵装置の底部から貯蔵装置の（図示しない）閉鎖板に向かって延びている。慣習的に、本明細書の残りの部分では、「高さ」という概念は、貯蔵装置１の（図示しない）長手方向軸にも平行である積み重ね方向８に関連付けられるべきであることが認められる。
【００５５】
この同じ図１でわかるように、スロット付き構造アセンブリ６ａ、６ｂは、より好ましくは垂直に交差される。言い換えると、構造アセンブリ６ａは互いに対して平行である一方、構造アセンブリ６ｂも互いに対して平行であるが、構造アセンブリ６ｂは構造アセンブリ６ａに対して垂直をなす。
【００５６】
構造アセンブリ６ａ、６ｂを積み重ね方向８に従って積み重ねる時、構造アセンブリ６ａ、６ｂは協働してハウジング２の各々の側壁を形成し、この側壁は、この第１の好適な実施形態では、ほぼ正方形の横断面を有する。もちろん、ハウジング２の側壁は、六角形のような異なった形の核燃料集合体の保持を可能にする任意の他の形で与えることもできるであろう。
【００５７】
したがって、ハウジング２が正方形の横断面を有する図１に示される例では、構造アセンブリ６ａは、方向１０と積み重ね方向８とに平行な垂直仕切り９を形成する一方、構造アセンブリ６ｂは、方向１２と積み重ね方向８とに平行な垂直仕切り１１を形成する。方向８と、方向１０と、方向１２とは互いに垂直である。
【００５８】
好ましくは、構造アセンブリ６ａ、６ｂの各々は、２つの周囲壁１４の間を延びてそれらと一体化しており、これらの周囲壁１４により、貯蔵装置１の側方を閉鎖することができる。たとえば、限定的ではないが図示されるように、これらの周囲壁１４を４つ設けることができ、各々が貯蔵装置１の全高さにわたって延びて、貯蔵装置１のハウジング２の側壁の周囲部分を構成する。さらに代替的には、本発明の範囲から逸脱することなく、各周囲壁１４を、方向８に従って積み重ねられた垂直仕切りの複数の部分によって構成することができる。
【００５９】
さらに、垂直仕切り９、１１の各々が、当該積み重ねられた垂直仕切りのいずれかの側に配置された幾つかのハウジング２の側壁の一部分の形成に関与することに注意されたい。
【００６０】
より詳細に後述するように、スロット付き構造アセンブリ６ａ、６ｂの各々は、第２の材料からなる管状断面要素を使用して設計され、管状断面要素には、第１の材料からなる少なくとも１枚の板が内部に収容されている。第１の材料は、ニュートロファージ元素を有するものがより好ましく、したがって、特に、アルミニウム及びホウ素の合金の形態をとるが、当業者であれば、たとえばガドリニウム、ハフニウム、カドミウム、インジウム、サマリウム、ユーロピウムのような他のニュートロファージ元素を採用することもできるであろう。しかしながら、他のアルミニウムをベースとする材料、たとえばアルミニウム合金及び炭化ホウ素を有するマトリックスから構成される複合材料等もまた、この第１の材料を構成すると考えられる。さらに、管状断面要素を構成する第２の材料は、ステンレス鋼のような鋼であることがより好ましいが、それが達成できる機械抵抗についての性能が高いためチタン又はその合金を使用することも考えられる。
【００６１】
そのため、図１をさらに参照すると、鋼製の管状断面要素の２つの横側面部の各々は、積み重ね方向８と共に方向１０及び１２の一方にも平行であって、複数のハウジング２の画定に関与することが簡単にわかる。
【００６２】
次に図２を参照すると、積み重ねられた垂直仕切り９、１１及び周囲壁１４によって側壁が形成されているハウジング２はそれぞれ、正方形の断面を有する側面１７４によって内部が画定されることがわかる。この側面１７４は、積み重ねられた垂直仕切り９、１１をそれぞれ形成する構造アセンブリ６ａ、６ｂの鋼製の管状断面要素の横側面部によって少なくとも部分的に構成することができる。
【００６３】
図２に明確に示されるように、この場合には、これらのハウジング２の各々の側面の一部分もまた周囲壁１４を使用して形成されるため、ハウジング２の側面１７４だけは、横側面部によって完全に構成されるわけではない。
【００６４】
次に図４を参照すると、本発明の第１の好適な実施形態による貯蔵装置１の一部分を見ることができ、この貯蔵装置１は、図３ａ〜図３ｃに示されるようなスロット付き構造アセンブリ６ａ、６ｂの積み重ね体を使用して構成されている。そのため、垂直仕切り９を構成する構造アセンブリ６ａは、垂直仕切り１１を構成する構造アセンブリ６ｂと同一又は同様であり、そのうちの１つを、図３ａ〜図３ｃを参照しながら以下に説明する。
【００６５】
本発明の第１の好適な実施形態では、スロット付き構造アセンブリ６ｂは、ステンレス鋼製の管状断面要素２０から構成され、その内部に、アルミニウム又はホウ素の合金の板２２が配置されている。図３ｃに最もわかりやすく示されるように、板２２は、管状断面要素２０によって内部に画定される形状に対して相補的である略矩形の形状を有し、したがって、ほぼ矩形の横断面も有している。
【００６６】
第１の好適な実施形態では、単一の板２２は実際上、管状断面要素２０の２つの横側面部２４間を摺動するように設けられている。そのため、板２２の２つの外側面２６はそれぞれ、管状断面要素２０の横側面部２４の内部側面２８と面接触状態にあるが、取り付け及び伸長差に対処するために、作業隙間が設けられている。
【００６７】
さらに、管状断面要素２０は、２つの横側面部２４によって連結されている上縁部３０及び下縁部３２間を延び、したがって、板２２はまた、上縁部３０及び下縁部３２間を摺動する。言い換えると、板２２の上縁部３４及び下縁部３６はそれぞれ、管状断面要素２０の上縁部３０及び下縁部３２と面接触状態にあるが、摺動によって一方を他方の内部に取り付けることを可能にするために、及び使用する材料の個々の特性に起因して見られる伸長差に対処するために、作業隙間が設けられている。
【００６８】
したがって、構造アセンブリは、板２２の方向８の高さが管状断面要素２０の内側の高さにほぼ等しいことにより、構造アセンブリが協働して、貯蔵装置の全長にわたってほぼ連続的に延びる高熱伝導性の中性子物質の構造体を形成するように構成されることがより好ましい。
【００６９】
中性子物質の単一の板２２が管状断面要素２０によって画定される内部空間のほぼ全体を占めるこの第１の好適な実施形態は、特に、ＢＷＲタイプの燃料集合体用の貯蔵装置の構成用である。
【００７０】
図３ａに示されるように、構造アセンブリ６ｂは、上側スロット４０が設けられた上側部分及び下側スロット４２が設けられた下側部分を有し、上側スロット４０は、方向８において下側スロット４２より低い高さを有するという特殊性を有している。
【００７１】
この点において、構造アセンブリは、上側スロット４０及びその対向位置に配置された下側スロット４２の高さの合計が、構造アセンブリ６ｂの高さのほぼ半分に等しいことにより、構造アセンブリ６ａ、６ｂを積み重ねて交差させた後、ほぼ連続した側壁が得られるように構成することがより好ましい。
【００７２】
下側スロット４２の各々は、管状断面要素２０の全厚にわたって形成されたノッチ４６と、単一の板２２の全厚にわたって形成されたほぼ同一の高さのノッチ４８とを使用して構成される。
【００７３】
したがって、好ましくはノッチ４８をすでに備えている板２２を、好ましくは同様にノッチ４６をすでに備えている管状断面要素２０の内部で摺動させる時、構造アセンブリ６ｂの下側スロット４２を形成するために、これらのノッチ４６、４８は２つずつ合致する。参考までに、さらに図３ａからわかるように、アルミニウムをベースにした第１の材料内に形成されるノッチ４８は、ステンレス鋼からなる第２の材料内に形成されるノッチ４６よりも、方向１２において、特に相当に幅広であることが定められている。この幅の差により、方向１２における構造アセンブリ６ｂの第１の材料及び第２の材料間の伸長差にうまく対処することが可能である。
【００７４】
一方、上側スロット４０はそれぞれ、鋼製の管状断面要素２０の上縁部３０上に形成された単一のノッチ５０を使用するだけで構成され、板２２の上縁部３４はノッチを有さず、このために、構造アセンブリ６ｂの全長にわたって一定の断面を有する。
【００７５】
上述したように、積み重ね方向８において下側スロット４２が上側スロット４０より大きいこの構造は、方向８の垂直自由落下の場合に貯蔵装置の機械的剛性を強化するために設けられる。実際上、そのような垂直自由落下に続く衝突中、後述するように、端部で並進が停止した管状断面要素２０は曲げを受けて、緩やかな曲線が方向８に、すなわち、その時に底部の方に向いている容器の上側部分に向けて描かれる。したがって、この曲げにより、ノッチ４６が閉じて、より小さい寸法のノッチ５０が開く。管状断面要素２０が、交差部分で特に高度に調整されているとすると、再閉鎖中のノッチ４６が、交差した管状断面要素２０と接触するように満たす必要のある隙間が大幅に減少する。したがって、曲げが生じた時、再閉鎖中のノッチ４６は、対応する下側スロット４２内に収容されている管状断面要素２０と迅速に接触し、したがって、交差区域内の剛直性（stiffness）を相当に増加させる。
【００７６】
複数の構造アセンブリ６ａ、６ｂを積み重ねると共に交差させた図４において、互いに平行な構造アセンブリ６ａの第（ｎ＋１）層の存在が、まず最初に確認される。さらに、第（ｎ＋２）層は、積み重ね方向８において第（ｎ＋１）層のすぐ上に配置され、この目的で設けられる上側スロット４０及び下側スロット４２によって第（ｎ＋１）層の構造アセンブリ６ａと協働する構造アセンブリ６ｂから構成される。そのため、第（ｎ＋２）層の構造アセンブリ６ｂ及び第（ｎ＋１）層の構造アセンブリ６ａは、積み重ね方向８において直接的に連続状に配置され、且つ互いに交差状に配置される。
【００７７】
最後に、第（ｎ＋３）層は、積み重ね方向８において第（ｎ＋２）層のすぐ上に配置されて、上側スロット４０及び下側スロット４２によって第（ｎ＋２）層の構造アセンブリ６ｂと協働する構造アセンブリ６ａから構成される。したがって、第（ｎ＋２）層の構造アセンブリ６ｂ及び第（ｎ＋３）層の構造アセンブリ６ａは、積み重ね方向８において直接的に連続状に配置され、且つ互いに交差状に配置される。さらに、図４からわかるように、第（ｎ＋１）層及び第（ｎ＋３）層の構造アセンブリ６ａは、管状断面要素２０の上縁部３０及び下縁部３２上で２つずつ互いに非常に近接しているか、又は接触している。
【００７８】
より一般的には、より低い高さの各上側スロット４０が、隣接する構造アセンブリの下側スロット４２と協働するように、またその逆に協働するように意図されることが示されている。
【００７９】
次に図５ａ〜図５ｂを参照すると、この第１の好適な実施形態の代替例であって、たった今上記したばかりのものに概ね似ている設計の代替例を示すことができる。そのため、全図面で、同じ参照符号を付けた構成要素は、同一又は同様の構成要素に対応する。
【００８０】
そのため、この代替例において、主な変更は、上側スロット４０及び下側スロット４２が方向８において同一の高さを有し、それらの高さの合計がやはり構造アセンブリ６ｂの高さの半分にほぼ等しいように設けられるという事実にあることがわかるであろう。
【００８１】
そのために、各上側スロット４０が、もはや管状断面要素２０の上縁部３０上の単一のノッチ５０だけを使用して構成され得るのではなく、図５ａに示されるように、この同じノッチ５０と合致する、板２２の上縁部３４上に設けられる上側ノッチ６０も使用して得られる。したがって、この代替例では、上側スロット４０及び下側スロット４２を同様にして得ることができる。
【００８２】
さらに、限定することはないが、現断面におけるこの構造アセンブリの横断面は、図３ｃに示されるものと同一である。
【００８３】
図６ａ及び図６ｂに示される第２の好適な実施形態では、構造アセンブリ６ａ、６ｂは、上記代替例で説明したものとほぼ同様の上側スロット４０及び下側スロット４２の構成を有するが、代替として、図３ａ〜図３ｃに示されるようなタイプであってもよい。したがって、第２の好適な実施形態は、対応する管状断面要素２０によって画定された空間のほぼ全体を占める第１の材料から成る単一の板ではなく、互いに離隔する２枚の個別の板２２を組み込んでいることで、第１の好適な実施形態と区別される。
【００８４】
より正確に言うと、２枚の板２２の間の空間により、貯蔵装置に核燃料集合体を装填した時、貯蔵装置の準臨界を維持する目的で、水を満たすのに適した空間６４を画定することができる。したがって、この第２の実施形態は、特にＰＷＲ（加圧水型軽水炉）タイプの核燃料集合体用の貯蔵装置の構成用である。
【００８５】
図６ｂで最もよくわかるように、２枚の同一の板２２の各々は、それらを収容している鋼製の管状断面要素２０の上縁部３０及び下縁部３２の間を摺動するように設けられている。さらに、２枚の同一の板２２の各々は、管状断面要素２０の横側面部２４の２つの内部側面２８にそれぞれ面する外側面２６を有し、取り付けを可能にすると共に伸長差に対処するために、作業隙間が設けられている。２枚の板２２のうち、外側面２６と反対の内側面６６は互いに向き合って、鋼製の管状断面要素２０の上縁部３０及び下縁部３２と協働して、水を満たすことのできる空間６４を画定する。
【００８６】
ここでもまた、２枚の板２２の各々の厚さは管状断面要素２０の厚さより大幅に小さいが、方向８におけるこれらの板２２の各々の高さは、やはり管状断面要素２０の内側の高さとほぼ同一である。
【００８７】
図６ａに示されるように、各上側スロット４０は、２枚の板２２の上縁部３４にそれぞれ形成された２つの上側ノッチ６０と共に、管状断面要素２０の上縁部３０に形成された上側ノッチ５０によっても形成され、これらの上側ノッチ５０、６０、６０はもちろん、互いに合致している。同様に、各下側スロット４２は、２枚の板２２の下縁部３６にそれぞれ形成された２つの下側ノッチ４８と共に、管状断面要素２０の下縁部３２に形成された下側ノッチ４６によっても形成され、これらの下側ノッチ４６、４８、４８は互いに合致している。
【００８８】
最後になるが、２枚の板２２のスペーサ６８、たとえば方向８に平行なロッドの形をしたスペーサ６８を、貯蔵装置１の上側スロット４０及び下側スロット４２上に置くことができることが示されている。したがって、貯蔵装置１は、スペーサ６８の直径及び２枚の板２２の厚さの合計が、管状断面要素２０の２つの横側面部２４間の内側の間隔とほぼ同一であるように構成されている。
【００８９】
図７を参照すると、一般的にケーシング７２を含む容器７０が示され、ケーシングの内部には、上記したばかりのものの１つ等であって、ケーシング内に入れられるように設けられる貯蔵装置１が見られ、図７にはこの貯蔵装置１が概略的に示されているだけである。
【００９０】
当業者には既知のように、積み重ね方向８に平行な長手方向軸７３のケーシング７２は、貯蔵装置１が載置されるベース７４と、このケーシングを閉鎖すると共に貯蔵装置１の上端部７８から離して配置された蓋７６とを有する。それはまた、貯蔵装置１の長手方向軸と合体された長手方向軸７３の周囲に延びる側面胴部８０を有する。
【００９１】
さらに好ましくは、貯蔵装置１は、側面胴部８０に対する方向８への長手方向軸７３に沿った並進が蓋７６から離れた位置でロックされる。そのため、これにより、この蓋７６が底部の方に向いた状態での垂直自由落下であって、この蓋７６に設けられるケーシング７０のシールの破壊を生じやすい垂直自由落下中に、貯蔵装置１が蓋７６と衝突することを回避することができる。
【００９２】
蓋７６から離れた位置で貯蔵装置１の並進をこのようにロックするために、側面胴部８０の上側部分内に収容されると共にケーシングの内部に向かって半径方向に突出するストップ要素８２の形態をとるストップ手段が設けられている。図７でわかるように、貯蔵装置１の上端部７８は、自由落下中に支持体としてこれらのストップ要素８２にぶつかる。より正確に言うと、貯蔵装置１は、ストップ要素８２が、構造アセンブリの積み重ね体の周囲に配置された貯蔵装置の周囲壁とだけ協働するように配置されている。
【００９３】
さらに、図１、図８ａ及び図８ｂを参照すると、構造アセンブリ６ａ、６ｂを周囲壁１４に取り付けるための好適な実施形態の一例を見ることができる。
【００９４】
一般的に貯蔵装置１は、各構造アセンブリ６ａ、６ｂが、２つの対向する端部を有し、該対向する端部の各々は、図８ａでわかるように、同じ側壁の任意の２つの直接的に連続した構造アセンブリ６ａ、６ｂ間に隙間８６が存在するように、周囲壁１４に取り付けられている。
【００９５】
そのために、各構造アセンブリの端部は、トリップドッグ（trip dog）と呼ばれる組み付け部品８８を備え、組み付け部品８８は、たとえばねじ付けによって組み付け部品８８を取り付ける板２２と接触するまで、管状断面要素２０の内部に貫入される。組み付け部品８８の、構造アセンブリの外に突出する部分は、周囲壁１４の内側に形成された長手方向チャネル９０内に収容され、したがって、方向８での組み付け部品８８の高さは、これらの組み付け部品が長手方向チャネル９０内で互いに接触している時、図８ａで最もよくわかるように、隙間８６が管状断面要素２０間に現れるようにして与えられる。
【００９６】
得られる隙間８６により、構造アセンブリの各々の保持を切り離すことができ、したがって、構造アセンブリは、互いに独立的に周囲壁１４上に保持される。その場合、軸方向落下での貯蔵装置１全体の機械的強度の証明は、この貯蔵装置１の構造アセンブリの任意の１つの機械的強度の簡単な証明によって行うことができる。
【００９７】
限定的ではないが、各長手方向チャネル９０はストップ９２を有し、２つの直接的に連続したストップ９２間に配置された一連の組み付け部品８８が、容器の垂直自由落下中に支持体として各ストップの上に載りやすいようにすることができる。これにより、組み付け部品８８を移動させる圧縮応力を許容値に制限することが可能である。
【００９８】
もちろん、当業者であれば、限定的ではなく例示としてのみ上記した貯蔵装置１及び容器に対してさまざまな修正を加えることができる。
【符号の説明】
【００９９】
１  貯蔵装置、２  ハウジング、６ａ，６ｂ  構造アセンブリ、１４  周囲壁、２０  管状断面要素、２２  板、２４  横側面部、２８  内部側面、３０  （管状断面要素２０の）上縁部、３２  （管状断面要素２０の）下縁部、４０  上側スロット、４２  下側スロット、４６，４８，５０，６０  ノッチ、７０  容器、７２  ケーシング、７３  （ケーシング７２の）長手方向軸、７４  ベース、７６  蓋、８０  側面胴部、８２  ストップ手段、８６  隙間、１７４  側面。
【図１】
0005635643.tif 000002
【図２】
0005635643.tif 000003
【図３ａ】
0005635643.tif 000004
【図３ｂ】
0005635643.tif 000005
【図３ｃ】
0005635643.tif 000006
【図４】
0005635643.tif 000007
【図５ａ】
0005635643.tif 000008
【図５ｂ】
0005635643.tif 000009
【図６ａ】
0005635643.tif 000010
【図６ｂ】
0005635643.tif 000011
【図７】
0005635643.tif 000012
【図８ａ】
0005635643.tif 000013
【図８ｂ】
0005635643.tif 000014